(57)【要約】【課題】放送信号の映像の品質を劣化させることなく、電力線を介して伝送できるようにする。【解決手段】送信側の送信側テレビ受像機４において、変調された放送信号を受信するとともに、この放送信号が変調された状態を保ちながら周波数変換を行うことにより送信用のＩＦ信号Ｓ２を生成して、この送信用信号を電力線１５上に送出し、受信側の受信側テレビ受像機５においては、電力線１５上を搬送されたＩＦ信号Ｓ２を受信し、受信した信号を復調して映像を含む情報を生成し、生成した情報をもとにディスプレイ５５に映像を出力する。【選択図】図１
2008085765.tif 000002
【特許請求の範囲】
【請求項１】
変調された放送信号を受信して周波数変換を行うことにより送信用信号を生成する信号
変換部と、
前記信号変換部により生成された送信用信号を電力線上に送出する送信部と、
を備えたことを特徴とする送信装置。
【請求項２】
前記信号変換部は、前記放送信号を周波数変換することにより、１０ｋＨｚ〜３０ＭＨ
ｚの周波数帯域において少なくとも６ＭＨｚの帯域幅を有する中間周波数信号を、前記送
信用信号として生成すること、
を特徴とする請求項１記載の送信装置。
【請求項３】
前記信号変換部は、ＯＦＤＭ変調方式により変調された放送信号を受信し、ＯＦＤＭ変
調された状態を保ちながら周波数変換を行って前記送信用信号を生成すること、
を特徴とする請求項１または２記載の送信装置。
【請求項４】
電力線上を搬送された信号を受信する受信部と、
前記受信部により受信された信号を復調して映像を含む情報を出力する復調部と、
前記復調部により出力された情報をもとに映像を出力する映像出力部と、
を備えたことを特徴とする映像出力装置。
【請求項５】
前記復調部は、前記受信部により受信された信号をＯＦＤＭ変調形式に従って復調する
こと、
を特徴とする請求項４記載の映像出力装置。
【請求項６】
外部の装置から鍵情報を受信して取得する鍵情報取得部と、
前記鍵情報取得部により取得した鍵情報をもとに、前記情報をデコードするデコード部
とを備えること、
を特徴とする請求項５記載の映像出力装置。
【請求項７】
変調された放送信号を受信して周波数変換を行うことにより送信用信号を生成し、この
送信用信号を電力線上に送出する送信装置と、
前記電力線上を搬送された送信用信号を受信し、受信した信号を復調して映像を含む情
報を生成する受信装置と、を備え、
前記送信装置は、前記放送信号が変調された状態を保ちながら周波数変換を行って前記
送信用信号を生成すること、
を特徴とする伝送システム。
【請求項８】
送信装置と受信装置との間で、映像を含む情報を伝送する伝送方法であって、
送信装置においては、変調された放送信号を受信し、この放送信号が変調された状態を
保ちながら周波数変換を行うことにより送信用信号を生成し、この送信用信号を電力線上
に送出し、
受信装置においては、前記電力線上を搬送された送信用信号を受信し、受信した信号を
復調して映像を含む情報を生成すること、
を特徴とする伝送方法。
【発明の詳細な説明】
【技術分野】
【０００１】
本発明は、映像に係る信号を送信する送信装置、受信した信号をもとに映像を出力する
映像出力装置、送信装置および受信装置を含む伝送システム、および、この伝送システム
における伝送方法に関する。
【背景技術】
【０００２】
従来、建物内に敷設された電力線を介して、テレビの放送信号を他の部屋に設置された
装置に配信する配信システムが知られている（例えば、特許文献１参照）。この配信シス
テムは、アンテナを介して放送信号を受信した装置が、モデムにより放送信号を変調して
電力線に乗せる一方、電力線を介して放送信号を受信した装置が、モデムにより放送信号
を復調して、テレビ放送の映像および音声を出力する。
【特許文献１】特開２００３−１８５５８号公報
【発明の開示】
【発明が解決しようとする課題】
【０００３】
上記従来の配信システムでは、電力線を介して放送信号を伝送するためにモデムによる
変調および復調を行っているが、この変復調に伴って映像および音声が劣化する可能性が
否定できない。近年、ＨＤＴＶ（High Definition Television）が普及するなど、高品位
のテレビ放送への注目が集まっている状況では、わずかな品質の劣化であっても、これを
防止することが求められている。
【０００４】
本発明は、上述した事情に鑑みてなされたものであり、放送信号を、映像品質を低下さ
せることなく、電力線を介して伝送できるようにすることを目的とする。
【課題を解決するための手段】
【０００５】
上記目的を達成するため、本発明は、変調された放送信号を受信して周波数変換を行う
ことにより送信用信号を生成する信号変換部と、前記信号変換部により生成された送信用
信号を電力線上に送出する送信部と、を備えたことを特徴とする送信装置を提供する。
この構成によれば、受信した放送信号を、変復調を行わないで電力線を介して伝送する
ので、放送映像や音声を劣化させることなく電力線を介して放送信号を伝送できる。また
、周波数変換を行って送信用信号を生成することにより、電力線搬送通信に適した周波数
で信号を送信できるという利点がある。
【０００６】
上記構成において、前記信号変換部は、前記放送信号を周波数変換することにより、１
０ｋＨｚ（キロヘルツ）〜３０ＭＨｚ（メガヘルツ）の周波数帯域において少なくとも６
ＭＨｚの帯域幅を有する中間周波数信号を、前記送信用信号として生成するものとしても
よい。
【０００７】
また、上記構成において、前記信号変換部は、ＯＦＤＭ（Orthogonal Frequency Divis
ion Multiplexing）変調方式により変調された放送信号を受信し、ＯＦＤＭ変調された状
態を保ちながら周波数変換を行って前記送信用信号を生成するものとしてもよい。
【０００８】
本発明は、電力線上を搬送された信号を受信する受信部と、前記受信部により受信され
た信号を復調して映像を含む情報を出力する復調部と、前記復調部により出力された情報
をもとに映像を出力する映像出力部と、を備えたことを特徴とする映像出力装置を提供す
る。
この構成によれば、電力線を介して変調された信号を受信し、この信号を復調して映像
を出力するので、ＯＦＤＭ変調されたデジタル放送の放送信号等、テレビ放送の放送信号
が復調されない状態で電力線を介して送信された場合に、これを受信してテレビ放送の映
像を出力できる。これにより、自装置にアンテナを接続することなく電力線を介して放送
信号の提供を受ける場合に、劣化を生じない方法で放送信号の提供を受けて、映像を出力
できる。
【０００９】
上記構成において、前記復調部は、前記受信部により受信された信号をＯＦＤＭ変調形
式に従って復調するものとしてもよい。
【００１０】
上記構成において、外部の装置から鍵情報を受信して取得する鍵情報取得部と、前記鍵
情報取得部により取得した鍵情報をもとに、前記情報をデコードするデコード部とを備え
る構成としてもよい。
【００１１】
また、本発明は、変調された放送信号を受信して周波数変換を行うことにより送信用信
号を生成し、この送信用信号を電力線上に送出する送信装置と、前記電力線上を搬送され
た送信用信号を受信し、受信した信号を復調して映像を含む情報を生成する受信装置と、
を備え、前記送信装置は、前記放送信号が変調された状態を保ちながら周波数変換を行っ
て前記送信用信号を生成すること、を特徴とする伝送システムを提供する。
この伝送システムによれば、送信装置から放送信号を復調することなく送信し、受信装
置において受信した信号を復調するので、放送信号の映像や音声を劣化させることなく、
電力線を介して放送信号を伝送できる。また、周波数変換を行って送信用信号を生成する
ことにより、電力線搬送通信に適した周波数で信号を送信できるという利点がある。
【００１２】
また、本発明は、送信装置と受信装置との間で、映像を含む情報を伝送する伝送方法で
あって、送信装置においては、変調された放送信号を受信し、この放送信号が変調された
状態を保ちながら周波数変換を行うことにより送信用信号を生成し、この送信用信号を電
力線上に送出し、受信装置においては、前記電力線上を搬送された送信用信号を受信し、
受信した信号を復調して映像を含む情報を生成すること、を特徴とする伝送方法を提供す
る。
この伝送方法によれば、送信側の装置から放送信号を復調することなく送信し、受信側
の装置において受信した信号を復調するので、放送信号の映像や音声を劣化させることな
く、電力線を介して放送信号を伝送できる。また、周波数変換を行って送信用信号を生成
することにより、電力線搬送通信に適した周波数で信号を送信できるという利点がある。
【発明を実施するための最良の形態】
【００１３】
［第１の実施形態］
図１は、本発明を適用した第１の実施形態に係る伝送システム１０の構成を示すブロッ
ク図である。
この図１に示す伝送システム１０は、建物に敷設された電力線１５を介して、送信側テ
レビ受像機４（送信装置）から受信側テレビ受像機５（映像出力装置、受信装置）に対し
、放送信号を伝送する。
ここで、電力線１５は、例えば単相交流１００ボルトの電力線である。また、本実施形
態において送信側テレビ受像機４が受信する放送信号は、例えば地上デジタル放送で放送
される、ＯＦＤＭ変調方式に従って変調された放送信号である。
【００１４】
送信側テレビ受像機４は、アンテナ４１を介してチューナ４０により放送を受信して、
ディスプレイ４５に映像を表示出力するテレビ受像機である。ディスプレイ４５は、液晶
表示パネル、プラズマディスプレイパネル、リアプロジェクションディスプレイ、ＣＲＴ
（Cathode Ray Tube）等であり、アスペクト比は４：３（ノーマル型）または１６：９（
ワイド型）で、所定の表示解像度で映像を表示する。
【００１５】
また、送信側テレビ受像機４が受信する地上デジタル放送においては、コピー制御の目
的で、放送信号のスクランブルを解除するための鍵情報を記録したＢ−ＣＡＳカードが使
用される。そこで、Ｂ−ＣＡＳカードから鍵情報を読み取るＢ−ＣＡＳカードリーダ４３
を備えている。
【００１６】
信号変換部としてのチューナ４０は、アンテナ４１を介して受信した放送信号からトラ
ンスポートストリーム（Transport Stream：ＴＳ）Ｓ１を生成し、ＭＰＥＧデコーダ４２
に出力する。このトランスポートストリームＳ１は、映像（画像）エレメンタリストリー
ムと音声エレメンタリストリームとをパケット化した情報である。ＭＰＥＧデコーダ４２
は、Ｂ−ＣＡＳカードリーダ４３により読み出された鍵情報に基づいてスクランブルを解
除した後、トランスポートストリームＳ１をデコードして映像データを生成し、映像処理
部４４に出力する。映像処理部４４は、ディスプレイ４５の表示解像度およびアスペクト
比に合わせて映像信号の調整や変換処理を行って表示用の信号を生成し、ディスプレイ４
５に出力して、映像を表示させる。
【００１７】
図２は、チューナ４０の構成を詳細に示すブロック図である。
この図２に示すように、チューナ４０は、アンテナ４１を介して受信した放送信号を増
幅する低雑音増幅器（ＬＮＡ）４０１、ＬＮＡ４０１により増幅された放送信号の周波数
を第１の中間周波数に変換する第１のミキサ４０２および局部発振器４０３、周波数変換
された信号からノイズを除いて出力する帯域通過フィルタ（ＢＰＦ）４０４、ＢＰＦ４０
４から出力された信号の周波数を第２の中間周波数に変換して中間周波数信号（ＩＦ信号
）を出力する第２のミキサ４０５および局部発振器４０６、このＩＦ信号を復調してトラ
ンスポートストリームＳ１を出力するＯＦＤＭ復調部４６を備える。
このＯＦＤＭ復調部４６は、ＩＦ信号をデジタル信号に変換するＡ／Ｄコンバータ４７
と、このデジタル信号をＯＦＤＭ復調してトランスポートストリームＳ１を出力するＯＦ
ＤＭ復調回路４８とを備える。
【００１８】
第１のミキサ４０２および局部発振器４０３は、アンテナ４１により受信された放送信
号の周波数を、例えば５７．０ＭＨｚ帯の第１の中間周波数に変換する。また、第２のミ
キサ４０５および局部発振器４０６は、第１のミキサ４０２において周波数変換された信
号を、例えば４ＭＨｚを中心周波数とするＩＦ信号に変換する。地上デジタル放送の１チ
ャンネルの帯域幅は６ＭＨｚであるから、第２のミキサ４０５から出力されるＩＦ信号の
周波数帯域は、例えば４±３ＭＨｚ（１〜７ＭＨｚ）となる。
【００１９】
さらに、チューナ４０は、第２のミキサ４０５を経て生成されたＩＦ信号を、アンプ４
０７により増幅して、ＩＦ信号Ｓ２として出力する。このＩＦ信号Ｓ２は、図１に示すよ
うに、チューナ４０に接続されたドライバ部２１に出力される。
送信部としてのドライバ部２１は電力線１５に接続されており、送信側テレビ受像機４
から入力されるＩＦ信号Ｓ２を、電力線１５に乗せて送出する。このドライバ部２１によ
り送出されたＩＦ信号Ｓ２は、後述する受信部としてのレシーバ部３１により受信される
。ドライバ部２１の詳細な構成については、レシーバ部３１とともに後述する。
【００２０】
受信側テレビ受像機５は、送信側テレビ受像機４と同様に、アンテナ（図示略）を介し
て放送信号を受信し、映像を表示出力するチューナ内蔵型のテレビ受像機であり、上述の
ディスプレイ４５と同様に構成されるディスプレイ５５を備えている。また、受信側テレ
ビ受像機５は、送信側テレビ受像機４と同様、Ｂ−ＣＡＳカードを読み取るＢ−ＣＡＳカ
ードリーダ５３を備える。
受信側テレビ受像機５は、上記アンテナを接続するためのアンテナ接続端子５１を備え
ているが、本実施形態の構成では、アンテナ接続端子５１にアンテナが接続されていない
。ここで、受信側テレビ受像機５は、電力線１５上を搬送される信号を受信するレシーバ
部３１により、上記のドライバ部２１により送出されたＩＦ信号Ｓ２を受信し、このＩＦ
信号Ｓ２に基づいてディスプレイ５５に映像を表示出力する。
【００２１】
復調部としてのチューナ５０は、レシーバ部３１から入力されるＩＦ信号Ｓ２からトラ
ンスポートストリームＳ３を生成し、ＭＰＥＧデコーダ５２に出力する。ＭＰＥＧデコー
ダ５２は、Ｂ−ＣＡＳカードリーダ５３により読み取った鍵情報に基づいてスクランブル
を解除した後、トランスポートストリームＳ３をデコードして映像データを生成し、映像
処理部５４に出力する。映像処理部５４は、ディスプレイ５５の表示解像度およびアスペ
クト比等に合わせて映像調整処理を行って表示用の信号を生成し、ディスプレイ５５に出
力して、映像を表示させる。
【００２２】
図３は、チューナ５０の構成を詳細に示すブロック図である。
チューナ５０は、アンテナ接続端子５１に接続されたアンテナ（図示略）を介して受信
した放送信号を増幅する低雑音増幅器（ＬＮＡ）５０１、ＬＮＡ５０１により増幅された
放送信号の周波数を第１の中間周波数に変換する第１のミキサ５０２および局部発振器５
０３、周波数変換された信号からノイズを除いて出力する帯域通過フィルタ（ＢＰＦ）５
０４、ＢＰＦ５０４から出力された信号の周波数を第２の中間周波数に変換して中間周波
数信号（ＩＦ信号）を出力する第２のミキサ５０５および局部発振器５０６、このＩＦ信
号を復調してトランスポートストリームＳ３を出力するＯＦＤＭ復調部５６を備える。こ
れらの各部により、アンテナ接続端子５１にアンテナを接続することで、通常のテレビ受
像機としての動作が可能となる。
【００２３】
このチューナ５０においては、レシーバ部３１から入力されるＩＦ信号Ｓ２が、アンプ
５０７を介して、ＯＦＤＭ復調部５６の入力端に入力される。ＯＦＤＭ復調部５６は、Ｉ
Ｆ信号をデジタル信号に変換するＡ／Ｄコンバータ５７と、このデジタル信号をＯＦＤＭ
復調してトランスポートストリームＳ３を出力するＯＦＤＭ復調回路５８とを備える。
第１のミキサ５０２および局部発振器５０３は、アンテナ接続端子５１に接続されたア
ンテナ（図示略）により受信された放送信号を、例えば５７．０ＭＨｚ帯の信号に変換す
る。また、第２のミキサ５０５および局部発振器５０６は、第１のミキサ５０２において
周波数変換された信号を、例えば４ＭＨｚを中心周波数とするＩＦ信号に変換する。これ
は、上述した送信側テレビ受像機４が内蔵するチューナ４０と同様である。
【００２４】
また、ＯＦＤＭ復調部５６は、その入力端に入力されたＩＦ信号Ｓ２を、第２のミキサ
５０５から出力されたＩＦ信号と同様に復調して、トランスポートストリームＳ３を生成
および出力する。
【００２５】
なお、ＭＰＥＧデコーダ４２、５２は、トランスポートストリームＳ１、Ｓ３をデコー
ドして音声データを生成する機能を備えており、送信側テレビ受像機４および受信側テレ
ビ受像機５は、ＭＰＥＧデコーダ４２、５２から出力される音声データをもとに音声を再
生出力するデコーダ、アンプ、スピーカ等を備えているが、ここでは図示および説明を省
略する。
【００２６】
図４は、ドライバ部２１およびレシーバ部３１の構成を示すブロック図である。
図４（Ａ）に示すように、ドライバ部２１は、チューナ４０から入力されたＩＦ信号Ｓ
２の信号変換を行うドライバ回路２２と、ドライバ回路２２から出力される信号を、電力
線１５上を流れる交流電流に重畳するカプラ２３とを備えている。
ドライバ回路２２は、ＩＦ信号Ｓ２の周波数を所定の周波数（例えば、９ＭＨｚ、１５
ＭＨｚ、２１ＭＨｚ、２７ＭＨｚ等）のＩＦ信号に変換するアップコンバータとして機能
する。例えば、伝送システム１０以外の装置またはシステムが電力線１５に接続され、電
力線１５を介して信号を伝送している場合、この信号と、伝送システム１０が伝送する信
号とが干渉する可能性がある。このような場合、ドライバ回路２２によってＩＦ信号Ｓ２
をアップコンバートし、干渉を生じない周波数帯域を利用すればよい。ここで、ドライバ
回路２２に、電力線１５上における干渉を検出する機能を持たせてもよい。また、電力線
１５上における干渉を生じない場合、ドライバ回路２２は、ＩＦ信号Ｓ２をそのままカプ
ラ２３に出力してもよい。
【００２７】
一方、図４（Ｂ）に示すように、レシーバ部３１は、電力線１５において交流電流に重
畳された信号を分離するカプラ３３と、カプラ３３により分離された信号をダウンコンバ
ートしてＩＦ信号Ｓ２を生成および出力するレシーバ回路３２とを備えている。レシーバ
回路３２は、ドライバ回路２２によるアップコンバート処理の実行状況に対応して、受信
した信号のダウンコンバートを行い、上記のようにドライバ回路２２がＩＦ信号Ｓ２をア
ップコンバートしないで出力する場合にはダウンコンバートに係る処理を行わない。
ここで、ドライバ部２１とレシーバ部３１との間で、予め定められた通信プロトコルに
従って制御信号を送受信することにより、送受信中の同期制御、送信開始および停止のタ
イミング制御、ドライバ回路２２によってアップコンバートされたＩＦ信号の周波数を含
む各種情報の通知等を行ってもよい。
【００２８】
このように、ドライバ部２１とレシーバ部３１との間では、ドライバ部２１によってＩ
Ｆ信号Ｓ２がアップコンバートされて電力線１５上に送出され、レシーバ部３１によって
電力線１５上を流れるＩＦ信号Ｓ２が分離され、ダウンコンバートされる。すなわち、Ｉ
Ｆ信号Ｓ２は、変復調を伴わない極めてシンプルな処理を経て伝送される。
【００２９】
電力線を介した情報伝送（電力線搬送通信：ＰＬＣ）に関しては、既に種々の規格の策
定が進んでおり、本願出願時点において、日本国内においては１０ｋＨｚ〜３０ＭＨｚの
周波数帯域がＰＬＣ用に割り当てられる見通しである。一方、上述のように地上デジタル
放送における１チャンネルの帯域幅は６ＭＨｚであるから、地上デジタル放送の放送信号
をＰＬＣ用の周波数帯域（１０ｋＨｚ〜３０ＭＨｚ）で搬送することは、十分に可能であ
る。そこで、伝送システム１０においては、ＯＦＤＭ変調により６ＭＨｚの帯域幅で送信
される放送信号を、復調することなく、すなわちＯＦＤＭ変調された状態のまま、ＩＦ信
号Ｓ２として電力線１５を介して伝送する。
これにより、ドライバ部２１およびレシーバ部３１は、特許文献１等により知られてい
る電力線モデムのような、変復調を行う構成を必要としない。
【００３０】
以上のように構成される伝送システム１０においては、アンテナ４１を介してチューナ
４０によって受信された放送信号が、電力線１５を介して受信側テレビ受像機５に送信さ
れ、受信側テレビ受像機５は、送信側テレビ受像機４から送信された信号をもとにディス
プレイ５５により映像を表示する。つまり、受信側テレビ受像機５においては、アンテナ
を接続することなく、放送を受信して映像および音声を出力できる。
また、送信側テレビ受像機４から受信側テレビ受像機５に対して送信されるＩＦ信号Ｓ
２は、放送信号を復調しないで生成された信号であり、受信側テレビ受像機５において、
Ｂ−ＣＡＳカードリーダ５３で読み取った鍵情報をもとにスクランブルが解除されて、は
じめて復調される。つまり、電力線１５を伝送するにあたってＩＦ信号Ｓ２の変復調を行
わないので、変復調に伴う信号の劣化がなく、受信側テレビ受像機５においても高品質の
映像を表示出力することが可能である。
【００３１】
そして、チューナ４０により、１０ｋＨｚ（キロヘルツ）〜３０ＭＨｚ（メガヘルツ）
の周波数帯域において少なくとも６ＭＨｚの帯域幅を有するＩＦ信号Ｓ２を生成すれば、
日本国内における電力線搬送通信の規格に適合する周波数帯域で、デジタル放送の１チャ
ンネル分の放送信号を、ＯＦＤＭ復調することなく電力線１５を介して伝送できる。
【００３２】
［第２の実施形態］
図５は、本発明を適用した第２の実施形態に係る伝送システム１１の構成を示すブロッ
ク図である。本第２の実施形態に関する説明において、上記第１の実施形態と共通する構
成については、同符号を付して説明を省略する。
この図５に示す伝送システム１１は、送信側テレビ受像機６１（送信装置）と、受信側
テレビ受像機７１（受信装置、映像出力装置）との間で、電力線１５を介して信号を伝送
することにより、アンテナに接続されていない受信側テレビ受像機７１において、放送の
映像を表示出力するものである。
【００３３】
送信側テレビ受像機６１は、上述した送信側テレビ受像機４と同様に、アンテナ４１に
接続されたチューナ４０、ＭＰＥＧデコーダ４２、Ｂ−ＣＡＳカードリーダ４３、映像処
理部４４およびディスプレイ４５の各部を備えている。チューナ４０は、アンテナ４１を
介して受信した放送信号を復調してトランスポートストリームＳ１を生成するとともに、
上記放送信号をＯＦＤＭ復調する前の段階で生成したＩＦ信号Ｓ２を、通信部２４に出力
する。さらに、送信側テレビ受像機６１は、ＣＰＵ６３と、ＣＰＵ６３の制御のもとに各
種情報を変復調して伝送信号を生成し、送受信するモデム６２とを備えている。
【００３４】
受信側テレビ受像機７１は、上述の受信側テレビ受像機５と同様に、アンテナ接続端子
５１、チューナ５０、ＭＰＥＧデコーダ５２、Ｂ−ＣＡＳカードリーダ５３、映像処理部
５４およびディスプレイ５５を備えて構成される。さらに、受信側テレビ受像機７１は、
ＣＰＵ７３と、ＣＰＵ７３の制御のもとに各種情報を変復調して伝送信号を生成し、送受
信するモデム７２とを備えている。チューナ５０は、アンテナ接続端子５１にアンテナ（
図示略）を接続した場合、このアンテナを介して受信した放送信号からトランスポートス
トリームを生成してＭＰＥＧデコーダ５２に出力する機能を備える。また、チューナ５０
は、通信部３４からＩＦ信号Ｓ２が入力された場合に、このＩＦ信号Ｓ２をＯＦＤＭ復調
してトランスポートストリームＳ３を生成し、ＭＰＥＧデコーダ５２に出力する。
【００３５】
さらに、送信側テレビ受像機６１は、電力線１５に接続された通信部２４を備え、受信
側テレビ受像機７１は、同じく電力線１５に接続された通信部３４を備えている。
通信部２４、３４は、送信側テレビ受像機６１から電力線１５へＩＦ信号Ｓ２を送出す
る際、および、受信側テレビ受像機７１が電力線１５からＩＦ信号Ｓ２を受信する際に、
交流電流への重畳および分離を実行する。また、通信部２４、３４は、電力線１５を介し
て、モデム６２、７２に入出力する信号を交流電流に重畳する機能、および、この交流電
流から分離する機能を実現する。すなわち、通信部２４、３４は、モデム６２とモデム７
２との間の通信に用いる通信回線を確立するものである。通信部２４は、通信部３４に対
してＩＦ信号Ｓ２を送信する際、送信部として機能し、通信部３４は、通信部２４により
送信されたＩＦ信号Ｓ２を受信する際に受信部として機能する。
そして、モデム６２、７２は、電力線１５を介して相互に各種情報を送受信することが
可能であるほか、電力線１５に接続された他のモデム装置（図示略）との間においても通
信を行うことが可能である。
【００３６】
図６は、通信部２４、３４の構成を示すブロック図である。
図６（Ａ）に示すように、通信部２４は、ドライバ／レシーバ２５と、カプラ２６とを
備えている。
上述のように、通信部２４は、ＩＦ信号Ｓ２を電力線１５に送出する上り方向の通信と
、モデム６２、７２間の通信を実現するための双方向通信を実行する。
この上り方向の通信において、ドライバ／レシーバ２５は、チューナ４０から入力され
たＩＦ信号Ｓ２を、所定の周波数（例えば、９ＭＨｚ、１５ＭＨｚ、２１ＭＨｚ、２７Ｍ
Ｈｚ等）の信号にアップコンバートする等の信号変換処理を行ってカプラ２６に出力する
。また、上記の双方向通信において、ドライバ／レシーバ２５は、モデム６２から入力さ
れた信号をカプラ２６に出力するとともに、カプラ２６から入力された信号をモデム６２
に出力する。
カプラ２６は、ドライバ／レシーバ２５から入力された信号を電力線１５の交流電流に
重畳する処理、および、電力線１５において交流電流に重畳された信号を分離してドライ
バ／レシーバ２５に出力する処理を行う。
【００３７】
また、図６（Ｂ）に示すように、通信部３４は、ドライバ／レシーバ３５と、カプラ３
６とを備える。
この通信部３４は、電力線１５からＩＦ信号Ｓ２を分離してチューナ５０に出力する下
り方向の通信と、モデム６２、７２間の通信を実現するための双方向通信を実行する。
下り方向の通信において、ドライバ／レシーバ３５は、カプラ３６から入力された所定
の周波数（９ＭＨｚ、１５ＭＨｚ、２１ＭＨｚ、２７ＭＨｚ等）の信号を、例えば４ＭＨ
ｚのＩＦ信号にダウンコンバートする等の信号変換処理を行い、チューナ５０に出力する
。また、上記の双方向通信において、ドライバ／レシーバ３５は、モデム７２から入力さ
れた信号をカプラ３６に出力するとともに、カプラ３６から入力された信号をモデム７２
に出力する。
カプラ３６は、ドライバ／レシーバ３５から入力された信号を電力線１５の交流電流に
重畳する処理、および、電力線１５において交流電流に重畳された信号を分離してドライ
バ／レシーバ３５に出力する処理を行う。
【００３８】
ここで、通信部２４と通信部３４との間で、予め定められた通信プロトコルに従って制
御信号を送受信することにより、送受信中の同期制御、送信開始および停止のタイミング
制御、ドライバ／レシーバ２５によってアップコンバートされたＩＦ信号の周波数を含む
各種情報の通知等を行ってもよい。
【００３９】
以上のように構成される伝送システム１１では、通信部２４、３４の機能により、送信
側テレビ受像機６１から受信側テレビ受像機７１にＩＦ信号Ｓ２が伝送される。この伝送
の過程において、ＩＦ信号Ｓ２は変調および復調されることがない。これは、上記第１の
実施形態と同様、ＩＦ信号Ｓ２がＯＦＤＭ変調された状態の信号であるため、さらに変調
する必要がないからである。これにより、送信側テレビ受像機６１から受信側テレビ受像
機７１に対し、品質を劣化させることなく放送信号を伝送し、アンテナに接続されていな
い受信側テレビ受像機７１において高品質の映像を表示出力できる。
【００４０】
また、伝送システム１１では、送信側テレビ受像機６１が備えるＣＰＵ６３と、７１が
備えるＣＰＵ７３との間で各種情報を送受信することが可能であり、これらＣＰＵ６３、
７３は、電力線１５に接続された他の機器（図示略）との間で各種情報を送受信すること
も可能である。これらの各種情報は、ドライバ／レシーバ２５、３５による信号変換処理
を経て、互いに干渉せず、かつ、ＩＦ信号Ｓ２とも干渉しないよう送受信される。このた
め、ＣＰＵ６３、７３は、例えば、電力線１５に接続されたルータ装置（図示略）を経由
して、外部のネットワーク（インターネット等）にアクセスすることが可能である。
これにより、伝送システム１１によれば、送信側テレビ受像機６１により受信した放送
信号を受信側テレビ受像機７１に伝送するとともに、送信側テレビ受像機６１および受信
側テレビ受像機７１が、相互にデータ通信を行うことが可能であり、さらに、送信側テレ
ビ受像機６１および受信側テレビ受像機７１が電力線１５を介して他の機器や外部のネッ
トワークに接続することが可能となる。従って、電力線１５を介した高品質な放送信号の
伝送と、データ通信とを同時に行うことが可能となる。
【００４１】
［第３の実施形態］
図７は、本発明を適用した第３の実施形態に係る伝送システム１２の構成を示す図であ
る。本第３の実施形態に関する説明において、上記第１および第２の実施形態と共通する
構成については、同符号を付して説明を省略する。
この図７に示す伝送システム１２は、送信側テレビ受像機６５（送信装置）と、プロジ
ェクタ８（受信装置、映像出力装置）とを備える。このプロジェクタ８は、内蔵する投影
部８５により、室内に設置されたスクリーン（図示略）に映像を投影する装置である。伝
送システム１２においては、送信側テレビ受像機６６からプロジェクタ８に対して、電力
線１５を介してＩＦ信号Ｓ２を伝送することにより、アンテナに接続されていないプロジ
ェクタ８によって放送の映像を出力する。
【００４２】
送信側テレビ受像機６５は、電力線１５に接続された通信部２４を備え、プロジェクタ
８は、同じく電力線１５に接続された通信部３４を備えている。これら通信部２４、３４
は、送信側テレビ受像機６５から電力線１５へＩＦ信号Ｓ２を送出する際、および、プロ
ジェクタ８が電力線１５からＩＦ信号Ｓ２を受信する際に、交流電流への重畳および分離
を実行して、ＩＦ信号Ｓ２の伝送を実現する。
【００４３】
送信側テレビ受像機６５は、上述した送信側テレビ受像機４、６１と同様に、アンテナ
４１に接続されたチューナ４０、ＭＰＥＧデコーダ４２、Ｂ−ＣＡＳカードリーダ４３、
映像処理部４４およびディスプレイ４５を備えている。チューナ４０は、アンテナ４１を
介して受信した放送信号を復調してトランスポートストリームＳ１を生成するとともに、
上記放送信号を復調する前の段階で生成したＩＦ信号Ｓ２を、通信部２４に出力する。
さらに、送信側テレビ受像機６５は、ＣＰＵ６７と、ＣＰＵ６７の制御のもとに各種情
報を変復調して伝送信号を生成および送受信するモデム６２とを備えている。
【００４４】
プロジェクタ８は、テレビチューナー装置、ＤＶＤプレイヤー、パーソナルコンピュー
タ等の外部の装置（図示略）から映像信号を入力するための入力端子８１、８２を備えた
映像処理部８４を有する。映像処理部８４は、入力端子８１、８２から入力された映像信
号をもとに、投影部８５の表示解像度およびアスペクト比に合わせて映像信号の調整や変
換処理を行って表示用の信号を生成し、投影部８５によって映像を表示させる。入力端子
８１、８２は、例えば、ＨＤＭＩ（High Definition Multimedia Interface）端子や、ア
ナログ映像入力端子等である。
ここで、プロジェクタ８は、アンプ（図示略）およびスピーカ（図示略）を内蔵し、こ
のスピーカから音声を出力するものとしてもよいし、プロジェクタ８に、アンプやスピー
カを備えたオーディオシステム（図示略）を外部接続して、このオーディオシステムを介
して音声信号を出力する構成としてもよい。
【００４５】
また、プロジェクタ８は、通信部３４から出力されるＩＦ信号Ｓ２を復調してトランス
ポートストリームを出力する復調部９、および、復調部９から出力されるトランスポート
ストリームをデコードして映像信号を出力するＭＰＥＧデコーダ８３を備え、ＭＰＥＧデ
コーダ８３から出力された映像信号について、映像処理部８４によって映像信号の調整や
変換処理を行って表示用の信号を生成し、投影部８５に出力して映像を表示（投影）させ
る。さらに、プロジェクタ８は、ＣＰＵ８７と、ＣＰＵ８７の制御のもとに各種情報を変
復調して伝送信号を送受信するモデム８６とを備えている。
【００４６】
図８は、復調部９の構成を示すブロック図である。
この図８に示すように、復調部９は、通信部３４から入力されたＩＦ信号Ｓ２からノイ
ズを除去するＢＰＦ９３、ＢＰＦ９３を通過した信号を増幅するアンプ９４、アンプ９４
により増幅された信号を復調するＯＦＤＭ復調部９０を備える。このＯＦＤＭ復調部９０
は、アンプ９４により増幅された信号をＡ／Ｄコンバータ９１によってデジタル信号に変
換し、ＯＦＤＭ復調回路９２によってＯＦＤＭ復調してトランスポートストリームＳ４を
生成し、ＭＰＥＧデコーダ８３へ出力する。
【００４７】
この伝送システム１２において、送信側テレビ受像機６５が備えるモデム６２は、通信
部２４を介して電力線１５に接続され、プロジェクタ８が備えるモデム８６は、通信部３
４を介して電力線１５に接続されている。このため、通信部２４、３４によって電力線１
５を媒体として確立される通信経路を介して、ＣＰＵ６７とＣＰＵ８７とが各種情報を送
受信することが可能である。
【００４８】
ところで、送信側テレビ受像機６５はＢ−ＣＡＳカードリーダ４３を備えており、この
Ｂ−ＣＡＳカードリーダ４３にセットされたＢ−ＣＡＳカードから、コピー制御用の鍵情
報を読み取り、この鍵情報をもとに、デジタル放送のスクランブルを解除している。これ
に対し、プロジェクタ８はＢ−ＣＡＳカードから鍵情報を読み取るリーダを持たない。そ
こで、伝送システム１２においては、送信側テレビ受像機６５がＢ−ＣＡＳカードリーダ
４３により読み取った鍵情報を、ＣＰＵ６７の制御のもとに、通信部２４、３４を介して
プロジェクタ８に送信する。プロジェクタ８においては、送信側テレビ受像機６５から送
信された鍵情報を、鍵情報取得部としてのＣＰＵ８７によって取得し、ＭＰＥＧデコーダ
８３に出力する。そして、デコード部としてのＭＰＥＧデコーダ８３は、ＣＰＵ８７から
入力された鍵情報に基づき、スクランブルを解除した後、復調部９から出力されるトラン
スポートストリームＳ４をＭＰＥＧデコードして映像データを生成し、映像処理部８４に
出力する。
【００４９】
従って、プロジェクタ８は、放送信号を受信するアンテナやチューナ等を備えることな
く、地上デジタル放送の映像を、投影部８５によって出力できる。また、送信側テレビ受
像機６５からプロジェクタ８にＩＦ信号Ｓ２を伝送する際、ＩＦ信号Ｓ２の変調および復
調を行わないので、伝送中における品質の劣化が生じない。このため、プロジェクタ８に
より出力される映像は、送信側テレビ受像機６５によって間接的に受信した放送信号の映
像であるにも関わらず、劣化のない高品質な映像となる。
【００５０】
なお、上記第１の実施形態において、ドライバ部２１からレシーバ部３１に対してＩＦ
信号Ｓ２を送信する際に、レシーバ部３１からドライバ部２１に対してＲＳＳＩ（Receiv
ed Signal Strength Indicator：受信信号強度表示信号）を出力し、このＲＳＳＩに基づ
くＡＧＣ（Automatic Gain Control：自動ゲイン調整）を行って、ドライバ部２１におけ
る送信電力を調整してもよい。同様に、上記第２及び第３の実施形態において、通信部２
４、３４の間で、ＲＳＳＩを利用したＡＧＣを実行し、送信電力の調整を行ってもよい。
また、上記第１から第３の実施形態において、電力線１５として三相交流電力線を利用
してもよい。さらに、上記第１から第３の実施形態においては、地上デジタル放送の放送
信号を受信して、この放送信号を周波数変換して得られるＩＦ信号を、電力線１５を介し
て伝送するものとしたが、他の変調方式により変調された信号を、同様に電力線１５を介
して伝送してもよい。
また、上記第１から第３の実施形態において、デジタル放送の放送信号を受信する送信
側テレビ受像機４、６１、６５に対して、電力線１５を介して放送信号の提供を受ける受
信側テレビ受像機５、７１、およびプロジェクタ８から、受信するチャンネルを指定する
選局指示を送信し、この選局指示に従って選局を行うようにしてもよい。
【００５１】
また、上記第１の実施形態においては、送信側テレビ受像機４がドライバ部２１を内蔵
し、受信側テレビ受像機５がレシーバ部３１を内蔵する構成について説明したが、本発明
はこれに限定されるものではなく、ドライバ部２１およびレシーバ部３１を外部の装置と
して、送信側テレビ受像機４、受信側テレビ受像機５にそれぞれ接続する構成としてもよ
い。同様に、上記第２および第３の実施形態においては、送信側テレビ受像機６１、６５
が通信部２４を内蔵し、受信側テレビ受像機５がレシーバ部３１を内蔵し、受信側テレビ
受像機７１およびプロジェクタ８が通信部３４を内蔵する構成について説明したが、本発
明はこれに限定されるものではなく、通信部２４、３４を外部の独立した装置として構成
し、各装置に外部接続して用いてもよい。
【００５２】
さらに、上記第１から第３の実施形態で説明した送信側テレビ受像機４、６１、６５に
代えて、ＤＶＤレコーダ装置や、外付型のチューナ装置等の装置を用いることも可能であ
る。同様に、本発明は、受信側テレビ受像機５、７１、プロジェクタ８に限定されず、映
像を出力可能な装置であれば、他の種の装置に適用することも可能である。
その他、伝送システム１０、１１、１２の具体的な細部構成については、本発明の趣旨
を逸脱することのない範囲において、任意に変更可能である。
【図面の簡単な説明】
【００５３】
【図１】本発明を適用した第１の実施形態の構成を示すブロック図である。
【図２】第１の実施形態におけるチューナの構成を示す図である。
【図３】第１の実施形態におけるチューナの構成を示す図である。
【図４】第１の実施形態におけるドライバおよびレシーバの構成を示す図である。
【図５】本発明を適用した第２の実施形態の構成を示すブロック図である。
【図６】第２の実施形態における通信部の構成を示す図である。
【図７】本発明を適用した第３の実施形態の構成を示すブロック図である。
【図８】第３の実施形態における復調部の構成を示す図である。
【符号の説明】
【００５４】
４、６１、６５…送信側テレビ受像機（送信装置）、５、７１…受信側テレビ受像機（
映像出力装置、受信装置）、８…プロジェクタ（映像出力装置、受信装置）、９…復調部
、１０、１１、１２…伝送システム、１５…電力線、２１…ドライバ部（送信部）、２４
…通信部（送信部）、３１…レシーバ部（受信部）、３４…通信部（受信部）、４０…チ
ューナ（信号変換部）、４１…アンテナ、４２…ＭＰＥＧデコーダ、４３…Ｂ−ＣＡＳカ
ードリーダ、４４…映像処理部、４５…ディスプレイ、４６…ＯＦＤＭ復調部、５０…チ
ューナ（復調部）、５１…アンテナ接続端子、５２…ＭＰＥＧデコーダ、５３…Ｂ−ＣＡ
Ｓカードリーダ、５４…映像処理部、５５…ディスプレイ、５６…ＯＦＤＭ復調部、６２
…モデム、６３、６７…ＣＰＵ、７２…モデム、７３…ＣＰＵ、８１、８２…入力端子、
８３…ＭＰＥＧデコーダ（デコード部）、８４…映像処理部、８５…投影部、８６…モデ
ム、８７…ＣＰＵ（鍵情報取得部）、９０…ＯＦＤＭ復調部。
【図１】
2008085765.tif 000003
【図２】
2008085765.tif 000004
【図３】
2008085765.tif 000005
【図４】
2008085765.tif 000006
【図５】
2008085765.tif 000007
【図６】
2008085765.tif 000008
【図７】
2008085765.tif 000009
【図８】
2008085765.tif 000010